(57)【要約】      （修正有）【課題】建造物の屋上やベランダなどの建造物の外部、居間、応接間、待合室などの室内に適用可能な建造物緑化方法及び緑化装置の開発である。【解決手段】（１）植物を植えるための鉢を収納するための栽培用容器６と、栽培用容器６の上部には鉢を収納するための穴２を有しかつ栽培用容器６を覆う天板１と鉢とがある建造物緑化装置。（２）栽培用容器６に、鉢をいれ、鉢の存在しない面は天板１で覆い、鉢の中で植物を育成する建造物の緑化方法であり、好ましくは、栽培用容器６の底に水を満たし、鉢には多孔質セラミックスを充填し、鉢の存在しない部分は天板１で覆い、鉢の中で植物を育成する建造物の緑化方法。（３）また、栽培用容器６がパイプを用いて相互に連結され、栽培用容器６の水を循環し、栽培用容器は、オーバーフローによる水位調整機構を有し、水位を調整することもできる。【選択図】図４
2005295963.tif 000002
【特許請求の範囲】
【請求項１】
植物を植えるための鉢と、
該鉢を収納するための栽培用容器と、
栽培用容器の上部にあって、該鉢を置くための穴を有しかつ栽培用容器を覆うための天板と
からなることを特徴とする建造物緑化装置。
【請求項２】
請求項１において、複数の栽培用容器がパイプを用いて相互に連結され、水が循環可能な構造となっていることを特徴とする建造物緑化装置。
【請求項３】
請求項１において、栽培用容器の底部には水が充填され、鉢には多孔質セラミックスが充填されていることを特徴とする建造物緑化方法。
【請求項４】
請求項１、請求項２において、栽培用容器は、オーバーフローによる水位調整機構を有することを特徴とする建造物緑化装置。
【請求項５】
請求項１、請求項２において、覆われている天板の上に、さらに石や流木などの装飾品、多孔質セラミックスを乗せたことを特徴とする建造物緑化装置。
【請求項６】
栽培用容器に、鉢をいれ、鉢の存在しない面は天板で覆い、鉢の中で植物を育成することを特徴とする建造物の緑化方法。
【請求項７】
請求項６において、栽培用容器の底に水を満たし、鉢には多孔質セラミックスを充填し植物を育成することを特徴とする植物の育成方法。
【請求項８】
請求項６、請求項７において、栽培用容器がパイプを用いて相互に連結され、栽培用容器の水を循環しつつ植物を育成することを特徴とする建造物の緑化方法。
【請求項９】
請求項６、請求項７、請求項８において、栽培用容器は、オーバーフローによる水位調整機構を有し、水位を調整しつつ植物を育成することを特徴とする建造物の緑化方法。
【発明の詳細な説明】
【技術分野】
【０００１】
本発明は、建造物の緑化装置及び緑化方法に関するものである。
【背景技術】
【０００２】
夏期、建物で覆われている都市部は、周辺部と比較して気温が異常に上昇するヒートアイランド現象がみられている。このようなヒートアイランド現象を回避する有力な手段として建物の屋上に植物を植える屋上緑化が注目を集めている。この方法は建物屋上に土を入れ屋上に植物を生育する方法であり、種々の利点がある反面、多くの欠点も指摘されている。
【０００３】
即ち、屋上で植物が生育される結果、日光による室内の温度上昇を少なくする効果があり、また高層の共同住宅においても、庭いじりを楽しむことが可能である利点がある反面、下記のような欠点が指摘されている。
【０００４】
（１）屋上に土をいれ、植物を栽培すれば、植物の根は、下にのびる性質があるため、樹脂やアスファルトなどの防水構造を痛めるおそれがある。
（２）屋上であるため、土の量が制限される結果、渇水時の水の供給や、適度な水の供給が困難である。
（３）周囲に高い建物があったりすると、日陰になりやすく、土壌が過湿になりやすい。また周囲に建物が少ないと、木により風が遮られることがないため、強風に当たりやすい。このため、台風などによる被害が発生しやすい。
（４）農薬・肥料などを使用すると周辺の環境への懸念が生ずる。
【０００５】
また、建造物の内部の緑化としては、鉢などに植物が植えられ、観賞用に行われているが、水が少なくても生育する植物に限定されるなどの欠点がある。
【０００６】
従来、建物の屋上、道路の中央分離帯、岩盤地、砂漠などに極めて簡便かつ低コストで構築可能な緑化システムが開示されている（特許文献１）。しかし、この技術は、半恒久的な緑化システムであり、個人が簡便に庭いじりを楽しむには適していない。
【０００７】
【特許文献１】特開２００４−４９２２６号公報
【発明の開示】
【発明が解決しようとする課題】
【０００８】
そこで、本発明の目的は、建造物の屋上やベランダなどの建造物の外部、居間、応接間、待合室などの室内に適用可能な建造物緑化方法及び緑化装置の開発である。
【課題を解決するための手段】
【０００９】
即ち本発明は、
（１）植物を植えるための鉢と、
該鉢を収納するための栽培用容器と、
栽培用容器の上部にあって、該鉢を置くための穴を有しかつ栽培用容器を覆うための天板と
からなることを特徴とする、
（２）  （１）において、複数の栽培用容器がパイプを用いて相互に連結され、水が循環可能な構造となっていることを特徴とする、
（３）  （１）において、栽培用容器の底部には水が充填され、鉢には多孔質セラミックスが充填されていることを特徴とする、
（４）  （１）、（２）において、栽培用容器は、オーバーフローによる水位調整機構を有することを特徴とする、
（５）  （１）、（２）において、覆われている天板の上に、さらに石や流木などの装飾品、多孔質セラミックスを乗せたことを特徴とする、
（６）  栽培用容器に、鉢をいれ、鉢の存在しない面は天板で覆い、鉢の中で植物を育成することを特徴とする建造物の緑化方法、
（７）  （６）において、栽培用容器の底に水を満たし、鉢には多孔質セラミックスを充填し植物を育成することを特徴とする、
（８）  （６）、（７）において、栽培用容器がパイプを用いて相互に連結され、栽培用容器の水を循環しつつ植物を育成することを特徴とする、
（９）  （６）、（７）、（８）において、栽培用容器は、オーバーフローによる水位調整機構を有し、水位を調整しつつ植物を育成することを特徴とする。
【００１０】
本発明において使用される栽培用容器は、いくつかの鉢を収容することのできる大きさである必要がある。ガラス繊維や炭素繊維などで強化されたポリエステル樹脂、ＡＢＳ樹脂、ポリオレフィン樹脂などをあげることができる。栽培用容器の底部には水を蓄えることが可能である。そして、蓄える水の量が一定量に達したとき排水可能とするため、水を溢れさせる機能を備えていることが好ましい。
【００１１】
また、多数の栽培用容器を使用する比較的大規模な緑化装置である場合は、ポンプを使用して給水することも可能であり、この場合は栽培用容器を相互にパイプで連結することが好ましい。連結に使用するパイプとしては、ポリ塩化ビニル製やポリオレフィン製パイプを使用することができる。
【００１２】
本発明で使用する鉢は、栽培用容器に蓄えている水を、毛細管現象を利用して吸い上げることを可能とするため、鉢の底面の一部乃至底面付近で一部開放していることが必要となる。
鉢の材質としては、セラミックスやプラスチックスが使用できる。しかし、軽量であるため、プラスチックスが好ましい。プラスチックスとしては、ポリスチレン樹脂、ポリプロピレン樹脂、ポリエステル樹脂などをあげることができる。
【００１３】
鉢の中に入れる植物生育のために使用される材料としては、好ましくは多孔質セラミックスが使用される。多孔性セラミックスは、適度の保水力があり、排水力があるのみならず、湿度調整機能がある。また多孔性セラミックスは、アンモニアガス、硫化水素ガスのような有害ガスや、ホルムアルデヒドなどの揮発性有機物質を吸着除去することも可能である。
また多孔性セラミックスの内部は、竹から製造した炭である竹炭としたり、竹炭を混合することも可能であり、この場合は、水質浄化機能や、水道水に含まれる塩素の除去機能や遠赤外線放射機能も期待できる。
【発明を実施するための最良の形態】
【００１４】
第１図は、長方形型天板１の平面図である。鉢を入れるための穴２、天板を栽培用容器の中にたてるための天板用柱３、水位計用穴４がある。第２図は、１／４円型天板５の平面図である。同様に、鉢を入れるための穴２、１／４円型天板を栽培用容器の中にたてるための天板用柱３、水位計用穴４がある。
【００１５】
第３図は、本発明で使用する栽培用容器の斜視図である。第４図は、長方形型天板１を被せた状態における、栽培用容器６の斜視図である。長方形型天板６には、多くの鉢を収納するための穴２がある。
第５図は、本発明で使用する鉢７の正面図である。鉢７には小窓８が開いていて、鉢７の中の多孔質セラミックスが、栽培用容器の底に水が蓄えられている水を吸収することができる。
【００１６】
図６は、本発明の建造物緑化装置の模式構成図である。鉢７に植物９が植えられている。この鉢７を、鉢を入れるための穴２に入れ、本発明の建造物緑化が行われるのである。
図７は、多数の長方形型栽培用容器６や１／４円型栽培用容器１１を組み合わせた建造物緑化装置である。
このように長方形型栽培用容器６や１／４円型栽培用容器１１を並べることによって、あたかも築山の如き外観となる。図８は、多数の１／４円型栽培用容器１１を組み合わせ、天板に小石を並べた建造物緑化装置である。１／４円型天板５の上に、小石１０などで覆えばより自然な外観となる。
【００１７】
図９は、水の循環利用を示す模式図である。
ポンプ１２、水位計１３、排水カバー１４、点検口（メンテナンス）１５、点検口１６、シャワー１７を備え、矢印に示すように水の自由な移動が可能となる。
【産業上の利用可能性】
【００１８】
本発明の建造物緑化方法及び緑化装置は下記のような利点がある。（１）建造物の上に土を乗せ、植物を植える方式でないため建造物の防水に使用されるアスファルトや樹脂を痛めることがない。
（２）栽培用容器と鉢、天板などに分解可能であるため、移動に便利であり、台風の襲来など緊急時に室内に避難することが可能である。また軽量であるため、移動が容易であり配置の変更を楽しむことができる。
（３）天板を使用することにより、鉢と天板の位置がほぼ同一面になるため、鉢に植えた植物があたかも土の上に生えているような外観となり、より自然のままで生育しているように見える。
（４）大型栽培用容器に水を蓄えることが可能であり、保水性にすぐれた多孔質セラミックスを使用しているため、廃水の必要もなく、必要最小限の給水でよく、最小限度の施肥でよい。
【図面の簡単な説明】
【００１９】
【図１】長方形型天板の平面図である。
【図２】１／４円型天板の平面図である。
【図３】栽培用容器の斜視図である。
【図４】天板を被せた状態における栽培用容器の斜視図である。
【図５】鉢の正面図である。
【図６】本発明の建造物緑化装置の模式構成図である。
【図７】多数の栽培用容器を組み合わせた建造物緑化装置である。
【図８】多数の栽培用容器を組み合わせ、天板に小石を並べた建造物緑化装置である。
【図９】水の循環利用を示す模式図である。
【符号の説明】
【００２０】
１    長方形型天板
２    鉢を入れるための穴
３    天板用柱
４    水位計用穴
５    １／４円型天板
６    長方形型栽培用容器
７    鉢
８    小窓
９    植物
１０  小石
１１  １／４円型栽培用容器
１２  ポンプ
１３  水位計
１４  排水カバー
１５  点検口（メンテナンス）
１６  点検口
１７  シャワー
【図１】
2005295963.tif 000003
【図２】
2005295963.tif 000004
【図３】
2005295963.tif 000005
【図４】
2005295963.tif 000006
【図５】
2005295963.tif 000007
【図６】
2005295963.tif 000008
【図７】
2005295963.tif 000009
【図８】
2005295963.tif 000010
【図９】
2005295963.tif 000011